(57)【要約】【課題】重ね合わされて収容されたゲームカード等のカードを一枚ずつ取り出して楽しみあるいはゲームをすることができるカードケースを提供する。【解決手段】カードＣが重ね合わされて収容される箱体Ｂの内部底面上に、上面に感圧性接着剤３を塗布した引き出し板４が内蔵され、前記箱体Ｂの一端面に前記引き出し板４及びその上面に接着されたカードＣが通過するスリット６が形成され、前記箱体Ｂの上面に押圧部５が形成されてなり、好ましくは、前記引き出し板４の引き出し端部に摘み舌片４ａが形成され、また、前記押圧部５が前記箱体Ｂの上面に形成された切り込み舌片であり、さらにまた、前記箱体Ｃ内部底面の前記スリット６の近くにストッパー８が形成され、前記引き出し板４の後端部に前記ストッパー８に係止する係止部４ｂが形成されてなる。【選択図】  図２
2006191976.tif 000002
【特許請求の範囲】
【請求項１】
カードが重ね合わされて収容される箱体の内部底面上に、上面に感圧性接着剤を塗布した引き出し板が内蔵され、前記箱体の一端面に前記引き出し板及びその上面に接着されたカードが通過するスリットが形成され、前記箱体の上面にカード押圧部が形成されてなることを特徴とするカードケース。
【請求項２】
前記引き出し板の引き出し端部に摘み舌片を形成したことを特徴とする請求項１に記載のカードケース。
【請求項３】
前記箱体上面の前記カード押圧部が箱体自体の切り込み舌片であることを特徴とする請求項１又は２に記載のカードケース。
【請求項４】
前記箱体上面の前記カード押圧部が指の入る打ち抜き孔であることを特徴とする請求項１、２又は３に記載のカードケース。
【請求項５】
前記箱体内部底面の前記スリットの近くにストッパーが形成され、前記引き出し板の後端部に前記ストッパーに係止する係止部が形成されてなることを特徴とする請求項１、２、３又は４に記載のカードケース。
【発明の詳細な説明】
【技術分野】
【０００１】
本発明は、ゲームカード、その他のカードが重ね合わせて収容されるカードケースに関する。
【背景技術】
【０００２】
従来、自己のカードと対戦相手のカードとを対戦させてゲームを行なう各種のゲームカードが提案されている（特開平６−４７１２５号公報等）。前記のごときゲームガードを重ね合わせて収容するカードケースとしては、きわめて一般的な形態のもの、すなわち筒状収容部の一端部あるいは両端部を開閉可能にしたものが提供されている。
【０００３】
前記従来のカードケースは、例えば、ゲームを行なうために前記端部を開けて収容されている対戦カードを取り出す場合には、適数枚のカードを取り出して選択しなければならず取扱いが面倒であり、また、前記端部を開けた場合に重ね合わされたカードが一斉に飛び出してバラバラになる場合があった。
【発明の開示】
【発明が解決しようとする課題】
【０００４】
本発明は、前記事情に鑑み、重ね合わされて収容されたゲームカード等のカードを一枚ずつ取り出して楽しみあるいはゲームをすることができるカードケースを提供することを目的とする。
【課題を解決するための手段】
【０００５】
前記課題を解決するため、本発明に係るカードケースは、カードが重ね合わされて収容される箱体の内部底面上に、上面に感圧性接着剤を塗布した引き出し板が内蔵され、前記箱体の一端面に前記引き出し板及びその上面に接着されたカードが通過するスリットが形成され、前記箱体の上面にカード押圧部が形成されてなることを特徴とする（請求項１）。
【０００６】
前記本発明において使用される前記感圧性接着剤は、接着力が弱く接着しようとする接着物を軽く押圧すると仮接着状態になり、その後、前記接着物の剥離が容易な性質を有する。前記重ね合わされて収容されたカードの一枚を取り出す場合には、前記箱体の上面に形成されたカード押圧部を指等で軽く押圧する。すると、内部に収容されたカードが箱体内部底面に押圧され、最下に位置しているカード、すなわち、前記引き出し板の上面にあるカードが前記引き出し板に押圧されてその上面に塗布された前記感圧性接着剤により仮接着される。
【０００７】
つぎに、前記引き出し板を前記スリットから引き出せば、該引き出し板とその上面に接着された一枚のカードが一体に引き出される。その後、前記カードのみを前記引き出し板から分離すればよく、以後、前記引き出し板を箱体内部に復帰させて、同様にして順次必要とするカードを取り出すことができる。
【０００８】
本発明の好ましい実施の一形態は、前記引き出し板の引き出し端部に摘み舌片を形成したことを特徴とする（請求項２）。この実施の一形態によれば、前記引き出し板の引き出しが容易である。すなわち、前記引き出し板に形成した前記摘み舌片を指で摘んで前記引き出し板を容易に引き出すことができる。なお、通常は、前記摘み舌片は前記箱体内部側に折曲げ格納等しておけばよい。
【０００９】
本発明のさらに好ましい実施の一形態は、前記箱体上面の前記カード押圧部が箱体自体の切り込み舌片であることを特徴とする（請求項３）。この実施の一形態によれば、重ね合わせて収容されたカードの枚数が減った場合にも残されたカードをスムースに取り出すことができる。
【００１０】
すなわち、重ね合わせて収容されたカードの枚数が減った場合には、前記切り込み舌片を押し込んで内部に重ね合わせて収容されたカードの上面を押圧すればよい。その結果、前記最下に位置しているカードが前記引き出し板に仮接着され、該引き出し板によって取り出すことができる。なお、前記切り込み舌片は前記箱体打ち抜き時に同時に容易に形成することができる。
【００１１】
なお、前記カード押圧部として、前記切り込み舌片に変えて前記箱体上面に、指が入る打ち抜き孔を設けてもよい（請求項４）。この実施の一形態でも前記請求項３に示した実施の一形態と同様に箱体内部に重ね合わされて収容されたカードを指により押圧することができる。しかしながら、前記打ち抜き孔から常時最上のカードが見えるという体裁上の問題がある。
【００１２】
本発明のさらに好ましい実施の一形態は、前記箱体内部底面の前記スリットの近くにストッパーが形成され、前記引き出し板の後端部に前記ストッパーに係止する係止部が形成されてなることを特徴とする（請求項５）。この実施の一形態によれば、前記カードの引き出し時に前記引き出し板が前記箱体から抜脱することがない。したがって、取扱いが容易であり、その後のカード取り出しを連続的に繰り返し行なうことができる。
【発明を実施するための最良の形態】
【００１３】
以下に、添付図面を参照して、本発明を実施するための最良の形態について説明する。図１は本発明に係るカードケースの使用状態を示す一部切欠き斜視図、図２は箱体内部構造の一例を示す要部横断面図、図３は図２のＩＩＩ−ＩＩＩ線断面図である。
【００１４】
本発明に係るカードケースは、例えば、適宜厚さの紙を打ち抜き、さらに折畳み、中央の筒状収容部１の両端部が折曲げ片２によって開閉可能な箱体Ｂとされ、前記筒状収容部１にカードＣが重ね合わされて収容される。
【００１５】
本発明では、前記箱体Ｂの内部底面上に、上面に感圧性接着剤３を塗布した引き出し板４が内蔵される。前記感圧性接着剤３は接着力が弱く接着しようとする接着物を軽く押圧すると仮接着状態になり、その後、前記接着物の剥離が容易な性質を有する。図中、４ａは前記引き出し板４の引き出し端部に一体に設けた摘み舌片である。
【００１６】
本発明では、前記箱体Ｂの上面に押圧部５が形成される。図面実施の一形態では切り込み舌片に形成されているが、指が入る打ち抜き孔であってもよい。
【００１７】
さらに、本発明では、前記箱体Ｂの一端面に前記引き出し板４及びその上面に仮接着されたカードＣが通過するスリット６が形成される。該スリット６は前記箱体Ｂに一体に形成することも考えられるが、図面実施例では、前記箱体Ｂの内部に、上面辺がなく底面辺７ａ、両側辺７ｂ及び前記スリット６を形成した垂直片７ｃを有する内部材７を挿入して前記スリット６が形成されている。
【００１８】
さらに、前記箱体Ｂ内部底面の前記スリット６の近くにストッパー８が形成され、前記引き出し板４の後端部に前記ストッパー８に係止する係止部４ｂが形成される。なお、図中、９は後方ストッパーである。
【００１９】
前記構成の本発明において、前記箱体Ｂ内に重ね合わせて収容されたカードＣの一枚を取り出す場合には、前記箱体Ｂの上面に形成された押圧部５、すなわち、図面実施例では、前記切り込み舌片を指により軽く押圧する。
【００２０】
その結果、前記切り込み舌片５を介して前記箱体Ｂ内部に重ね合わされて収容されているカードＣが押圧される。その後、前記押圧を解除して前記摘み舌片４ａを持って前記引き出し板４を前記スリット６から引き出せばよい。
【００２１】
その結果、前記引き出し板４に仮接着された最下に位置していたカードＣのみが前記引き出し板４とともに取り出され、その上面に重ね合わされた他のカードＣは前記スリット６によって取り出しが阻止される。以後、前記引き出し板４を前記箱体Ｂ内部に復帰させて、同様にして順次必要とするカードＣを取り出すことができる。
【図面の簡単な説明】
【００２２】
【図１】本発明に係るカードケースの使用状態を示す一部切欠き斜視図である。
【図２】本発明に係るカードケースの箱体内部構造の一例を示す要部横断面図である。
【図３】図２のＩＩＩ―ＩＩＩ線断面図である。
【符号の説明】
【００２３】
３    感圧性接着剤
４    引き出し板
４ａ  摘み舌片
４ｂ  係止部
５    押圧部
６    スリット
８    ストッパー
【図１】
2006191976.tif 000003
【図２】
2006191976.tif 000004
【図３】
2006191976.tif 000005